(57)【要約】      （修正有）【課題】タッチキー入力の有効性を判定する機能を有する電子装置（端末）と、これに使用されるタッチキー入力の有効性判定方法を提供する。【解決手段】前面に形成されるディスプレイ部１１０と、ディスプレイ部の少なくとも一側に形成され、ユーザー入力を感知するように構成される少なくとも一つのタッチキー１２２と、ディスプレイ部の少なくとも一側に形成され、ユーザー入力を感知してタッチキーの入力が有効であるか否かを判定するように構成される少なくとも一つのダミーキー１２３とを含む。【選択図】図３
2014132454.tif 000002
【特許請求の範囲】
【請求項１】
タッチキー入力の有効性を判定する機能を有する電子装置であって、
前記電子装置の前面に形成されるディスプレイ部と、
前記ディスプレイ部の少なくとも一側に形成され、ユーザー入力を感知するように構成される少なくとも一つのタッチキーと、
前記ディスプレイ部の少なくとも一側に形成され、ユーザー入力を感知して前記タッチキーの入力が有効であるか否かを判定するように構成される少なくとも一つのダミーキーと、
を含むことを特徴とする電子装置。
【請求項２】
前記ダミーキーは、
それぞれの前記タッチキーに隣接するように形成される少なくとも一つの第１のダミーキーを含み、前記第１のダミーキーはそれぞれの前記タッチキーの上下左右のうち少なくとも一側に形成されることを特徴とする請求項１に記載の電子装置。
【請求項３】
前記ダミーキーは、
前記ディスプレイ部を基準として前記タッチキーの反対側に形成される少なくとも一つの第２のダミーキーを含むことを特徴とする請求項１に記載の電子装置。
【請求項４】
前記ダミーキーは、
少なくとも一つの伝送チャンネルラインと少なくとも一つの受信チャンネルラインを含むことを特徴とする請求項１に記載の電子装置。
【請求項５】
前記ダミーキーが複数の伝送チャンネルライン又は複数の受信チャンネルラインを含む場合、複数のチャンネルラインは前記タッチキーに隣接するほど間隔が狭く形成されることを特徴とする請求項４に記載の電子装置。
【請求項６】
前記ダミーキーの伝送チャンネルライン及び受信チャンネルラインのうち少なくとも一つは、前記ディスプレイ部を構成するチャンネルラインから延びることを特徴とする請求項４に記載の電子装置。
【請求項７】
前記ダミーキーの伝送チャンネルライン及び受信チャンネルラインは、前記ディスプレイ部を構成するチャンネルラインと別途に構成されることを特徴とする請求項４に記載の電子装置。
【請求項８】
所定機能を遂行するためのタッチキー及び前記タッチキー入力の有効性を判定するためのダミーキーから受信される信号を分析し、前記キーのうち少なくとも一つのキーが入力されたと判定される場合、当該キーの入力を示すキー入力信号を生成するセンサ部と、
前記センサ部から受信されるキー入力信号を分析して前記タッチキーが入力されたと判定される場合、前記ダミーキーが入力されるか否かを判定し、前記ダミーキーの入力有無に基づいて前記タッチキー入力が有効であるか否かを判定する制御部と、
をさらに含むことを特徴とする請求項４に記載の電子装置。
【請求項９】
電子装置におけるタッチキー入力の有効性判定方法であって、
所定機能を遂行するためのタッチキーが入力されたか否かを判定するステップと、
ダミーキーが入力されたか否かを判定するステップと、
前記ダミーキーの入力有無に基づいて前記タッチキー入力の有効性を判定するステップと、
前記タッチキーの入力が有効である場合、前記タッチキーの所定機能を遂行するステップと、
を有することを特徴とする方法。
【請求項１０】
前記タッチキー入力の有効性を判定するステップは、
前記ダミーキーが入力されないと判定される場合、前記タッチキー入力が有効であると判定するステップを有することを特徴とする請求項９に記載の方法。
【請求項１１】
前記タッチキー入力の有効性を判定するステップは、
前記ダミーキーが入力されたと判定される場合、前記タッチキー入力が無効であると判定するステップを有することを特徴とする請求項９に記載の方法。
【請求項１２】
前記タッチキー又は前記ダミーキー入力があるか否かを判定するステップは、
当該キーに対する信号レベルが所定の閾値以上変化した場合、当該キー入力があると判定するステップを有することを特徴とする請求項９に記載の方法。
【請求項１３】
前記タッチキーが入力されたか否かを判定するための第１の閾値と前記ダミーキーが入力されたか否かを判定するための第２の閾値は相互に異なることを特徴とする請求項１２に記載の方法。
【請求項１４】
前記第１の閾値は前記第２の閾値より小さいことを特徴とする請求項１３に記載の方法。
【請求項１５】
前記タッチキー入力の有効性を判定するステップは、
前記ダミーキーのうち第１のダミーキーが入力されたと判定される場合、前記タッチキー入力が無効であると判定し、前記ダミーキーのうち第２のダミーキーが入力されたと判定される場合、前記タッチキー入力が有効であると判定するステップを有することを特徴とする請求項９に記載の方法。
【発明の詳細な説明】
【技術分野】
【０００１】
本発明は、タッチキー入力の有効性を判定する機能を有する電子装置と、その電子装置に使用されるタッチキー入力の有効性判定方法に関する。
【背景技術】
【０００２】
最近、マルチメディア技術及び通信技術の発達によって、スマートフォン、タブレット型パソコンなどの電子装置（以下、端末ともいう）がますます広く普及してきている。
【０００３】
端末には、デザインと使用の便宜のためにタッチキーが採用されている。一般に、タッチキーの入力は静電容量（ｃａｐａｃｉｔａｎｃｅ）変化を測定することによって判断される。即ち、端末は、ユーザーの動作によってタッチキーで発生する静電容量の変化を測定してタッチキー入力がなされるか否かを判定する。例えば、図１（Ａ）に示すように、端末は、静電容量が変化した区間１０２でユーザー入力が（一般的にユーザーの指による接触により、又は特別に設計されたスタイラスペンにより）発生すると判定し、当該タッチキーに対応する機能を遂行する。このとき、端末は、動作の正確性のために、静電容量の変化値が或る所定の閾値以上である場合に当該タッチキーが入力されたと判定する。例えば、図１（Ｂ）に示すように、静電容量が該所定の閾値以上に変化する区間１０４では当該タッチキーが入力されたと判定し、静電容量が該所定の閾値以下に変化する区間１０６では当該タッチキーが入力されなかったと判定する。
【０００４】
一般に、このタッチキーはディスプレイ領域に隣接して位置され、その結果、図２（Ａ）及び図２（Ｂ）を参照して説明するように、タッチキーは、ユーザーの操作中に意図せずに入力される場合が発生する。
【０００５】
図２（Ａ）及び図２（Ｂ）は、ディスプレイ部１１０の一側にタッチキー１２２ａ，１２２ｂ及び物理キー１２１が配置される端末１００の例を示す。
【０００６】
図２（Ａ）に示すように、ユーザーがディスプレイ部１１０上で特定の操作を遂行する際に、ユーザーの手が非意図的にタッチキー１２２ｂを押さえ、それによって当該タッチキーに対応する機能が遂行される場合がある。例えば、文書作成プログラムが作成中の文書を格納又は保存せずに終了してしまう可能性がある。
【０００７】
同様に、図２（Ｂ）に示すように、ユーザーが両手で端末１００を把持しながら操作する場合、タッチキー１２２ｂは、頻々と非意図的に入力され得る。
【０００８】
従って、ユーザーが意図しないタッチキー入力を拒否するための方法が必要になる。
【先行技術文献】
【特許文献】
【０００９】
【特許文献１】米国特許出願公開第２０１２−０２６２４０７号
【発明の概要】
【発明が解決しようとする課題】
【００１０】
従って、本発明は上記した従来技術の問題点に鑑みてなされたものであって、その目的は、タッチキー入力の有効性を判定する機能を有する電子装置（端末）、及びその電子装置に使用されるタッチキー入力の有効性判定方法を提供することにある。
【課題を解決するための手段】
【００１１】
上記のような目的を達成するために、本発明の一態様によれば、タッチキー入力の有効性を判定する機能を有する電子装置が提供される。その電子装置は、電子装置の前面に形成されるディスプレイ部と、ディスプレイ部の少なくとも一側に形成され、ユーザー入力を感知するように構成される少なくとも一つのタッチキーと、ディスプレイ部の少なくとも一側に形成され、ユーザー入力を感知してタッチキーの入力が有効であるか否かを判定するように構成される少なくとも一つのダミーキーと、を含む。
【００１２】
本発明の他の態様によれば、電子装置におけるタッチキー入力の有効性判定方法が提供される。その方法は、或る所定機能を遂行するためのタッチキーが入力されたか否かを判定するステップと、ダミーキーが入力されたか否かを判定するステップと、ダミーキーの入力有無に基づいてタッチキー入力の有効性を判定するステップと、タッチキーの入力が有効である場合、タッチキーの前記所定機能を遂行するステップとを有する。
【発明の効果】
【００１３】
本発明は、ダミーキーが入力されたか否かを判定することによりタッチキー入力がユーザーにより意図されたか否かを判定できるので、ユーザーが意図しない機能が誤まって遂行されるのを防止できる利点がある。
【００１４】
本発明の上記及び他の様相、特徴、及び利点は、以下のような添付図面とともに続く詳細な説明から、より明白になるだろう。
【図面の簡単な説明】
【００１５】
【図１】（Ａ）（Ｂ）は、静電容量変化を利用するタッチキー入力を判定する方法を説明するための例示図である。
【図２】（Ａ）（Ｂ）は、従来技術の問題点を説明するための例示図である。。
【図３】本発明の一実施形態による端末を説明するための例示図である。
【図４】（Ａ）（Ｂ）は、本発明の一実施形態による利点を説明するための例示図である。
【図５】（Ａ）（Ｂ）は、本発明の一実施形態によるダミーキーを説明するための例示図である。
【図６】（Ａ）（Ｂ）（Ｃ）は、本発明の一実施形態によるダミーキーを説明するための例示図である。
【図７】（Ａ）（Ｂ）は、本発明の一実施形態によるダミーキーのチャンネルラインを説明するための例示図である。
【図８】（Ａ）（Ｂ）は、本発明の他の実施形態によるダミーキーを説明するための例示図である。
【図９】本発明の一実施形態によるタッチキー入力の有効性を判定する方法を示すフローチャートである。
【図１０】（Ａ）（Ｂ）は、本発明の他の実施形態によるタッチキー入力の有効性を判定する方法を説明するための例示図である。
【図１１】（Ａ）（Ｂ）は、本発明の他の実施形態によるダミーキーを説明するための例示図である。
【図１２】本発明の他の実施形態によるタッチキー入力の有効性を判定する方法を示すフローチャートである。
【図１３】本発明の他の実施形態によるタッチキー入力の有効性を判定する方法を示すフローチャートである。
【図１４】本発明の実施形態に適用される端末を示すブロック構成図である。
【発明を実施するための形態】
【００１６】
以下、本発明の望ましい実施形態を添付の図面を参照して詳細に説明する。
【００１７】
次の説明において、具体的な構成及び構成要素などに関する特定の詳細は、単に本発明の実施形態の全般的な理解を助けるために提供される。従って、本発明の範囲及び趣旨を逸脱することなく、以下に説明される本発明の様々な変形及び変更が可能であることは、当該技術分野における通常の知識を持つ者には明らかであろう。なお、公知の機能又は構成に関する具体的な説明は、明瞭性と簡潔性のために省略する。
【００１８】
次の説明及び請求項に使用する用語及び単語は、辞典的意味に限定されず、本発明の理解を明確且つ一貫性があるようにするために発明者により使用される。従って本発明は、特許請求の範囲とこれと均等なものに基づいて定義されるものであり、本発明の実施形態の説明は単に実例を提供するためのものであって、本発明を限定するものでないことは、本発明の技術分野における通常の知識を持つ者には明らかであろう。
【００１９】
本願明細書に記載の各要素が、文脈中に特に明示しない限り複数形を含むことは、当業者には理解できるであろう。従って、例えば、“要素の表面（ａ  ｃｏｍｐｏｎｅｎｔ  ｓｕｒｆａｃｅ）”との記載は、１つ又は複数の表面を含む。
【００２０】
図３は、本発明の一実施形態による電子装置（以下、端末という）を説明するための例示図である。
【００２１】
図３を参照すると、本発明の一実施形態による端末１００は、ディスプレイ部１１０、ＢＭ（Ｂｌａｃｋ  Ｍａｔｒｉｘ）領域１２０、及びタッチキー入力の有効性判定装置（図示せず）を含む。
【００２２】
ディスプレイ部１１０は、端末１００の前面に位置し、タッチスクリーンを含む。
【００２３】
ＢＭ領域１２０には、タッチキー１２２ａ，１２２ｂと本実施形態に係わるダミーキー１２３ａ，１２３ｂ，１２３ｃ，１２３ｄが配置される。実施形態によっては、物理キー１２１が更にＢＭ領域１２０に配置される。
【００２４】
タッチキー１２２ａ，１２２ｂは、或る所定機能を遂行するために使用され、感知した静電容量値をタッチキー入力の有効性を判定する有効性判定装置に伝送する。
【００２５】
ダミーキー１２３ａ，１２３ｂ，１２３ｃ，１２３ｄは、タッチキー１２２ａ，１２２ｂの入力有効性を判定するために使用され、タッチキー１２２ａ，１２２ｂに隣接して配置される。図３に示すように、ダミーキー１２３ａ，１２３ｂ，１２３ｃ，１２３ｄがタッチキー１２２ａ，１２２ｂの各々の両側に配置されるが、ダミーキー１２３ａ，１２３ｂ，１２３ｃ，１２３ｄはタッチキー１２２ａ，１２２ｂの上下左右のうち少なくとも一つに配置され、或いはタッチキー１２２ａ，１２２ｂを取り囲む形態で配置されてもよい。ダミーキー１２３ｂ，１２３ｄは、物理キー１２１に隣接して配置されているがこれに限られない。
【００２６】
タッチキー入力の有効性を判定する有効性判定装置は、タッチキー１２２ａ，１２２ｂの入力有効性を判定する。一実施形態において、タッチキー入力の有効性判定装置は、タッチキー１２２ａ，１２２ｂが入力される場合、ダミーキー１２３ａ，１２３ｂ，１２３ｃ，１２３ｄの入力有無に基づいて当該タッチキー１２２ａ，１２２ｂの入力の有効性を判定し、タッチキー１２２ａ，１２２ｂの入力が有効であると判定した場合、タッチキー１２２ａ，１２２ｂに対応する機能を遂行するように制御する。一方、タッチキー１２２ａ，１２２ｂの入力が無効であると判定した場合、当該タッチキー１２２ａ，１２２ｂに対応する機能を遂行しないように制御する。即ち、タッチキー入力の有効性判定装置は、タッチキー１２２ａ，１２２ｂの入力がユーザーにより意図されるか否かを判定し、これに基づき、当該タッチキー１２２ａ，１２２ｂに対応する機能を遂行するか否かを判定する。
【００２７】
例えば、図４（Ａ）に示すようにユーザーが電子ペンを用いて筆記している状態で、或いは、図４（Ｂ）に示すように端末１００のＢＭ領域１２０を把持している状態で操作中に間違ってタッチキー１２２ｂを押さえた場合、タッチキー１２２ｂに隣接したダミーキー１２３ｃ，１２３ｄも共に押さえられる。ダミーキー１２３ｃ，１２３ｄはタッチキー１２３ｂと共に入力される場合、タッチキー入力の有効性判定装置は、当該タッチキー１２２ｂの入力がユーザーにより意図されないと判定し、当該タッチキー１２２ｂに対応する機能を遂行しないように制御する。より具体的には、ダミーキー１２３ａ乃至１２３ｄが押えられることなく、タッチキー１２２ａ及び／又は１２２ｂのみが押えられる場合、上記端末は対応する機能を遂行する。ダミーキー１２３ａ乃至１２３ｄの選択がタッチキー１２２ａ，１２２ｂと同時に感知される場合、端末は、タッチキー１２２ａ，１２２ｂの選択が意図しないと仮定し、タッチキー１２２ａ，１２２ｂに対応する機能は実行されない。
【００２８】
上述した本発明の一実施形態によると、ユーザーにより意図しないタッチキー入力がある場合、タッチキーに対応する機能は遂行されず、即ちタッチキーが無視され、それによってユーザーに便宜を提供する。以上では、図３、図４（Ａ）、及び図４（Ｂ）を参照して、本発明の一実施形態による端末１００について説明したが、関連図面を参照して、本発明の一実施形態によるダミーキーの構成についてより詳細に説明する。
【００２９】
図５（Ａ）は、図３のラインＡ−Ａ’に沿って切断した断面を示す例示図であり、図５（Ｂ）は、図３のラインＢ−Ｂ’に沿って切断した断面を示す例示図である。ＧＦＦ（Ｇｌａｓｓ  ｐｌｕｓ  ＩＴＯ  Ｆｉｌｍ  ｐｌｕｓ  ＩＴＯ  Ｆｉｌｍ）方式による端末の場合は図５（Ａ）、（Ｂ）、及び図６（Ａ）、（Ｂ）、（Ｃ）に示すが、本発明は、ガラス層に伝送チャンネルと受信チャンネルが両方とも形成されるＧ２方式による端末の場合、又はガラス層に受信チャンネルが挿入され、ＩＴＯフィルム層に伝送チャンネルが挿入されるＧ１Ｆ方式による端末の場合にも適用され得る。
【００３０】
図５（Ａ）、（Ｂ）、及び図６（Ａ）、（Ｂ）、（Ｃ）を参照すれば、端末は、ユーザー入力を感知するための伝送層１３２及び受信層１３４、端末のハウジングを形成するベゼル層１３６、層間を結合する接合層１３３，１３５、及びディスプレイ手段１３１を含む。
【００３１】
伝送層（伝送チャンネル）１３２及び受信層（受信チャンネル）１３４は、ユーザー入力を感知するための少なくとも一つのチャンネルライン１２９を含む。図５（Ａ）及び図５（Ｂ）において、一つのチャンネルライン１２９は、各キー１２２ａ，１２２ｂ，１２３ａ，１２３ｂ，１２３ｃに対して形成される。図６（Ａ）及び図６（Ｂ）に示す実施形態によると、複数のチャンネルライン１２９は、各キー１２２ａ，１２２ｂ，１２３ａ，１２３ｂ，１２３ｃに対して形成される。一方、複数のチャンネルライン１２９が各キーに対して形成される場合、各チャンネルライン１２９は、キー全体に異なる間隔で形成され得る。例えば、図６（Ｃ）に示すように、チャンネルライン１２９は、タッチキー１２２ｂに隣接するほど狭い間隔で形成される。この場合、少ないチャンネルラインでユーザー入力感知の精密度を向上できる利点がある。一実施形態では、チャンネルライン１２９は、ＩＴＯ（Ｉｎｄｉｕｍ  Ｔｉｎ  Ｏｘｉｄｅ）からなる。
【００３２】
一実施形態において、チャンネルライン１２９は、図７（Ａ）に示すようにディスプレイ領域１１０のチャンネルラインから伸びる。例えば、ディスプレイ領域１１０から延長されるチャンネルライン１２９は、伝送チャンネル及び受信チャンネルのうち何れか一つのチャンネルに対応するチャンネルラインであり得る。このとき、他のチャンネルのラインは別途に構成され、タッチキー入力の有効性判定装置に直接接続される。
【００３３】
一実施形態において、チャンネルライン１２９は、図７（Ｂ）に示すように、ディスプレイ領域１１０を構成するチャンネルラインとは別途に形成される。この場合、全てのチャンネルラインは、タッチキー入力の有効性判定装置に直接接続される。
【００３４】
ディスプレイ手段１３１は、例えばＬＣＤ（Ｌｉｑｕｉｄ  Ｃｒｙｓｔａｌ  Ｄｉｓｐｌａｙ）である。
【００３５】
以上でダミーキーがタッチキーの両側に位置する場合のみについて説明したが、ダミーキーは、図８（Ａ）及び図８（Ｂ）に示すように、各タッチキーの上下左右のうち少なくとも一側に形成され、或いは各タッチキーを取り囲むように構成され得る。
【００３６】
図８（Ａ）を参照すると、ダミーキー１２３ａ，１２３ｃは、各タッチキー１２２ａ，１２２ｂを取り囲むように形成される。一実施形態によると、ダミーキー１２３ｂは、物理キー１２１の周辺に形成され得る。
【００３７】
図８（Ｂ）は、タッチキー１２２ａとダミーキー１２３ａをより詳細に説明するための例示図である。図８（Ｂ）には、一つの伝送チャンネルライン１２０ａと複数の受信チャンネルライン１２９ｂが形成される例を示すが、伝送チャンネルと受信チャンネルの各々は一つ又は複数のチャンネルラインで形成できる。一方、上述したように、各チャンネルライン間の間隔は相互に異なり、タッチ認識の正確性を向上させるために、図８（Ｂ）に示すように、上記間隔は、タッチキー１２２ａに近いほど狭く形成される。
【００３８】
以上、図３乃至図８（Ａ）、（Ｂ）を参照して、本発明の一実施形態による端末の構成について説明する。次に、関連図面を参照して、本発明の実施形態によるタッチキー入力の有効性判定方法について説明する。
【００３９】
図９は、本発明の一実施形態によるタッチキー入力の有効性判定方法を示すフローチャートである。
【００４０】
ステップ７０１において、端末は、所定機能を遂行するためのタッチキーが入力されるか否かを判定する。端末は、タッチキーが入力されると判定した場合、ステップ７０３に進行する。
【００４１】
ステップ７０３において、端末は、タッチキー入力の有効性を判定するために使用されるダミーキーが入力されるか否かを判定する。端末は、ダミーキーが入力されると判定する場合、ステップ７０５に進行し、そうでない場合にはステップ７０７に進行する。
【００４２】
ステップ７０３の判定結果、ダミーキーが入力されると判断した後に進行したステップ７０５で、端末は、タッチキー入力が無効であると判定する。より詳細には、端末は、タッチキーとダミーキーが同時に入力される場合、ステップ７０５で、タッチキー入力はユーザーにより意図されないと判定し、当該タッチキー入力に対応する機能を遂行しない。
【００４３】
ステップ７０３でダミーキーが入力されないと判定した後に進行するステップ７０７で、端末は、タッチキー入力を有効であると判定した後にステップ７０９に進行する。詳細に説明すれば、端末は、タッチキーが入力されかつダミーキーが入力されない場合、ステップ７０７で、タッチキー入力はユーザーにより意図されたことであると判断する。
【００４４】
ステップ７０９で、端末は、タッチキー入力に対応する機能を遂行する。
【００４５】
ダミーキーが入力される場合、タッチキー入力が無効であると判定されることについて説明した。しかしながら、一実施形態によれば、ダミーキーが入力されても、タッチキー入力は、有効であると判定することができる。例えば、ダミーキーが入力された状態でタッチキーが入力される場合であっても、ダミーキーが初期入力から所定時間が経過した後にタッチキー入力がある場合、端末は、タッチキー入力が有効であると判定できる。より具体的に説明すれば、端末は、ダミーキー入力が感知された後に或る所定期間内でのみタッチキー入力が無視され、この所定期間以後に端末は（ダミーキーの選択にもかかわらず）タッチキーに対応する機能を遂行する。
【００４６】
上記した本発明の一実施形態によると、ユーザーにより意図されないタッチキー入力が感知された場合、タッチキーに対応する機能は遂行されず、即ちタッチキーの入力は無視され、ユーザーに便宜を提供できる。
【００４７】
図３乃至図９を参照して説明した実施形態では、ダミーキーとタッチキーが同時に入力される場合、タッチキーに対応する機能は遂行されない。しかしながら、ユーザーの把持状態に従って、図１０（Ａ）及び図１０（Ｂ）を参照して説明するように、タッチキーに対応する機能を遂行する必要性がある。
【００４８】
図１０（Ａ）に示すようなユーザー把持状態で、ダミーキー１２３は、継続して入力される。この状況で、ユーザーがタッチキー１２２ａを押さえた場合、端末は、タッチキー１２２ａの入力がユーザーにより意図されたことであると判定し、タッチキー１２２ａに対応する機能を遂行する必要がある。
【００４９】
従って、端末は、図１０（Ｂ）に示すように、領域１５０ａと領域１５０ｂで発生するユーザー入力を別々に認識できる必要がある。このような認識は、各キーに対するチャンネルラインを区分して達成される。この場合、端末は、領域１５０ａでダミーキー入力が生成されても領域１５０ｂでタッチキー入力が生成される場合、タッチキーに対応する機能を遂行する。
【００５０】
一実施形態において、ダミーキー入力がない場合にタッチキー入力による機能を遂行するために第１の動作が利用される場合、該タッチキーに対応する機能は、領域１５０ａでダミーキー入力が生成される場合に領域１５０ｂで第２の動作によりタッチキー入力が生成される場合に遂行される。一実施形態で、例えば、第１の動作は、シングルタッチジェスチャであり、第２の動作はダブルタッチジェスチャである。
【００５１】
一方、図１１（Ａ）に示すように、ダミーキー１２４は、ディスプレイ領域を基準としてタッチキーの反対側に形成され得る。この場合にも、図１０（Ａ）及び図１０（Ｂ）を参照して説明したように、端末は、ダミーキー１２４が入力されても何れか一つのタッチキー１２２ａ，１２２ｂが入力される場合、該入力タッチキーに対応する機能を遂行できる。
【００５２】
一実施形態において、ダミーキーが入力されない場合、タッチキー入力による動作を遂行するために第１の動作が使用される場合、ダミーキー１２４が入力される場合に第２の動作によるタッチキー入力が生成されると、タッチキーの入力に対応する機能を遂行できる。一実施形態では、第１の動作はシングルタッチジェスチャであり、第２の動作はダブルタッチジェスチャであり得る。より詳細には、端末は、ダミーキーの選択を無視し、（ダミーキーの選択に関係なく）入力キーに対応する機能を遂行するように、所定の環境に対応して構成される。
【００５３】
図１１（Ｂ）に示すように、ダミーキー１２４は、タッチキー１２２ａ，１２２ｂに隣接した領域とディスプレイ部１１０を基準としてタッチキー１２２ａ，１２２ｂと反対側領域に同時に形成される。
【００５４】
図１０（Ａ）、（Ｂ）乃至図１１（Ａ）、（Ｂ）を参照して、本発明の他の実施形態による端末の構成について説明した。以下、関連図面を参照して、本発明の前記他の実施形態によるタッチキー入力の有効性判定方法について説明する。
【００５５】
図１２は、本発明の他の実施形態によるタッチキー入力の有効性判定方法を示すフローチャートである。
【００５６】
図１２のステップ１００１，１００３，１０１１，１０１３は、図９を参照して説明したステップ７０１，７０３，７０７，７０９と同じなので、その詳細な説明は省略する。
【００５７】
ステップ１００５で、端末は、入力されたダミーキーが第１のダミーキーであるか否かを判定し、入力ダミーキーが第１のダミーキーである場合にステップ１００７に進行し、そうでない場合にはステップ１０２１に進行する。ここで、第１及び第２という表現は、キー（ダミーキー）タッチの発生順を指示するために使用されたものではなく、相違するダミーキーを区分するために使用されたものである。
【００５８】
ここで、第１のダミーキーは、図１０（Ａ）、（Ｂ）乃至図１１（Ａ）、（Ｂ）を参照して説明したように、タッチキー１２２ａに隣接するように形成されたダミーキー１２３ａ，１２３ｂであり得る。
【００５９】
ステップ１００５で、入力されるダミーキーが第１のダミーキーであると判定された後、端末は、ステップ１００７に進行し、タッチキー入力が無効であると判定する。
【００６０】
ステップ１００５で、入力されるダミーキーが第１のダミーキーでないと判断した後に進行されるステップ、即ち、入力されるダミーキーが、タッチキーに隣接して形成されたダミーキーではない第２のダミーキーであると判断して進行したステップ１０２１で、端末は、タッチキー入力を有効であると判定し、当該タッチキーに対応する機能を遂行する。より具体的には、ダミーキーを第１のダミーキーと第２のダミーキーに分類することによって、端末は、どのダミーキーが入力されるかによって異なるように対応する。
【００６１】
ここで、第２ダミーキーは、図１０（Ａ）及び図１０（Ｂ）を参照して説明したように、タッチキー１２２ａに隣接しないダミーキー１２３ｃ、１２３ｄであるか、或いはディスプレイ部１１０を基準としてタッチキーの反対側に形成されたダミーキー１２４である。
【００６２】
一方、一実施形態では、タッチキーと共に入力されるダミーキーが、タッチキーに隣接したダミーキー（即ち、第１のダミーキー）ではなく第２のダミーキーである場合、端末は、次の図１３を参照して説明するように、当該タッチキー入力が設定された動作により発生される場合に、当該タッチキー入力が有効であると判定する。
【００６３】
図１３は、本発明の他の実施形態によるタッチキー入力の有効性判定方法を示すフローチャートである。
【００６４】
図１３のステップ１１０１乃至１１１３は、図１２のステップ１００１乃至１０１３と同一なので、ここではその詳細な説明を省略する。
【００６５】
ステップ１１２１で、端末は、タッチキー入力が第１の動作、例えばシングルタッチジェスチャにより発生すると判定される場合、ステップ１１２３に進行し、そうでない場合にはステップ１１２５に進行する。また、上記第１及び第２の動作は動作の発生順を示すものではなく、動作の第１及び第２の形態を示すために使用されたものである。
【００６６】
ステップ１１２１で、タッチキー入力が第１の動作、例えばシングルタッチジェスチャにより発生すると判定される場合、端末は、当該タッチキー入力を無効であると判定する。
しかしながら、第１の動作が、キーが押され且つ速く解除されない長押し（ｌｏｎｇ  ｐｒｅｓｓ）として知られている動作である場合には、このような長押し動作が、ユーザーが特定方向に端末を把持していることに起因するか、又は、端末上に自身の手のひら又はその手の他の部分を（意図せずに）載置していることに起因する。その結果、端末（のタッチキー入力有効性判定装置）は、この長押し動作というタッチキーの入力がユーザーによる意図的であり、かつ非意図的な入力でない、と解釈して、当該タッチキー入力を（短い）シングルタッチジェスチャとして有効であると判定する。
【００６７】
タッチキー入力が第１の動作により発生しないと判定されて進行したステップ、即ちタッチキー入力が第２動作、例えばダブルタッチジェスチャにより発生すると判定して進行したステップ１１２５で、端末は、当該タッチキー入力を有効であると判定し、当該タッチキーに対応する機能を遂行する。
【００６８】
図１０（Ａ）、（Ｂ）乃至図１３を参照して説明した実施形態によると、タッチキー入力に対するユーザーの意図をより詳しく分析し、入力されるタッチキーに対応する機能を遂行するか否かを判定することによって、ユーザーに便宜を提供できる。
【００６９】
以下に、図３乃至図１３を参照して説明した本発明の実施形態が適用される端末について説明する。
【００７０】
図１４は、上記した本発明の実施形態による端末を示すブロック構成図である。
【００７１】
図１４を参照すると、本発明の実施形態による電子装置は、重さ及びサイズの側面で容易に携帯が可能な携帯端末であると仮定するが、本発明の実施形態による電子機器は携帯端末に限定されるものではない。本発明の実施形態による端末の例は、従来のフィーチャーフォン（ｆｅａｔｕｒｅ  ｐｈｏｎｅ）と、Ｂａｄａ、Ｔｉｚｅｎ、ウィンドウシリーズ（例えば、Ｗｉｎｄｏｗｓ（登録商標）８）、ｉＯＳ、Ａｎｄｒｏｉｄなどで駆動される電子機器（例えば、スマートフォン又はタブレット）であり得る。加えて、本発明の実施形態による携帯端末は、ノートパソコン、デジタルカメラ、又は画像（ｖｉｄｅｏ）電話、ＰＤＡ（Ｐｅｒｓｏｎａｌ  Ｄｉｇｉｔａｌ  Ａｓｓｉｓｔａｎｔ）、携帯用ゲーム機、ＭＰ３プレーヤー、ＰＭＰ（Ｐｏｒｔａｂｌｅ／Ｐｅｒｓｏｎａｌ  Ｍｕｌｔｉｍｅｄｉａ  Ｐｌａｙｅｒ）、携帯用（ｈａｎｄｈｅｌｄ）電子ブック、タブレット型コンピュータ、ＧＰＳ（Ｇｌｏｂａｌ  Ｐｏｓｉｔｉｏｎｉｎｇ  Ｓｙｓｔｅｍ）ナビゲーションであるが、本発明の実施形態による端末が上記機器に限定されないことは、当業者には明らかであろう。
【００７２】
図１４を参照すると、端末は、タッチキー入力の有効性判定装置１２１０、入力部１２２０、及びディスプレイ部１２３０を含む。
【００７３】
タッチキー入力有効性判定装置１２１０は、センサ部１２１１及び制御部１２１２を含む。
【００７４】
センサ部１２１１は、所定機能を遂行するためのタッチキー１２２１及びタッチキー１２２１の入力有効性を判定するためのダミーキー１２２２から受信される信号を分析し、これらタッチキー１２２１及びダミーキー１２２２のうち少なくとも一つが入力されると判定した場合、当該キーの入力を示すキー入力信号を生成して制御部１２１２に伝送する。
【００７５】
センサ部１２１１は、これらのキー１２２１，１２２２から受信される信号を分析した後に、当該キーに対する信号レベルが所定の閾値以上変化する場合、当該キーが入力されたと判定し、当該キーの入力を示すキー入力信号を生成して制御部１２１２に伝送する。タッチキー１２２１が入力されたか否かを判定するための第１の閾値と、ダミーキー１２２２が入力されたか否かを判定するための第２の閾値は、相互に異なるように設定できる。一実施形態において、タッチキー１２２１の感度を高めるために、第１の閾値は、第２の閾値より小さく設定される。一方、静電容量方式を使用する場合、この信号レベルは静電容量値であり得る。
【００７６】
制御部１２１２は、センサ部１２１１から受信されるキー入力信号を分析し、タッチキー１２２１が入力されると判定される場合にダミーキー１２２２が入力されたか否かを判定し、ダミーキー１２２２の入力有無に基づいてタッチキー１２２１の入力有効性を判定する。
【００７７】
例えば、制御部１２１２は、センサ部１２１１から受信された信号を分析し、タッチキー１２２１が入力されるが、ダミーキー１２２２が入力されないと判定される場合、当該タッチキー１２２１の入力が有効であると判断する。これは、例えば、ユーザーが意図的にタッチキー１２２１を押さえる場合に該当する。
【００７８】
また、制御部１２１２は、センサ部１２１１から受信される信号を分析し、タッチキー１２２１及びダミーキー１２２２が入力されると判定される場合、当該タッチキー１２２１の入力が無効であると判定できる。これは、例えば、ユーザーが非意図的にタッチキー１２２１とダミーキー１２２２を共に押さえた場合であり得る。
【００７９】
さらに、制御部１２１２は、ダミーキー１２２２が入力されると判定した場合、ダミーキーがタッチキー１２２１に隣接した第１のダミーキーであるか、或いはタッチキー１２２１に隣接しない第２のダミーキーであるかをさらに判定する。入力されたダミーキー１２２２が第１のダミーキーであると判定される場合、制御部１２１２は、タッチキー１２２１の入力が無効であると判定し、入力されたダミーキー１２２２が第２のダミーキーであると判定される場合には、タッチキー１２２１の入力が有効であると判定できる。
【００８０】
一方、制御部１２１２は、入力されるダミーキー１２２２が第２のダミーキーであり、タッチキー１２２１の入力が第１の動作、例えばシングルタッチジェスチャにより発生されると判断した場合、タッチキーの入力が無効であると判定できる。また、制御部１２１２は、入力されるダミーキー１２２２が第２のダミーキーであり、タッチキー１２２１の入力が第２の動作、例えばダブルタッチジェスチャにより発生されると判定した場合、タッチキー１２２１の入力を有効であると判定できる。
【００８１】
入力部１２２０は、少なくとも一つのタッチキー１２２１、少なくとも一つのダミーキー１２２２を含み、実施形態により少なくとも一つの物理キー１２２３をさらに含むことができる。
【００８２】
タッチキー１２２１は、静電容量方式を使用するために構成され、ユーザーの入力による感知値をタッチキー入力の有効性判定装置１２１０に伝送する。
【００８３】
ダミーキー１２２２は、静電容量方式を使用するように構成され、ユーザーの入力による感知値をタッチキー入力の有効性判定装置１２１０に伝送する。ダミーキー１２２２から伝送される感知値は、タッチキー１２２１の入力の有効性を判定するために使用される。
【００８４】
ディスプレイ部１２３０は、タッチスクリーンであり得る。
【００８５】
以上で説明した本発明の実施形態は、任意の多様な方法で具現できる。例えば、本発明の実施形態は、ハードウェア、ソフトウェア、又はそれらの組み合わせを用いて具現され得る。ソフトウェアで具現される場合、多様なオペレーションシステム又はプラットフォームを用いる一つ以上のプロセッサで実行されるソフトウェアにより具現できる。さらに、このようなソフトウェアは、複数の適合したプログラミング言語の中から任意の一つを使用して作成でき、又はフレームワーク又は仮想マシンで実行される実行可能な機械語コード又は中間コードでコンパイルして作成できる。
【００８６】
本発明の実施形態は、一つ以上のプロセッサで実行される場合、上記した実施形態を実現する方法を遂行するための一つ以上のプログラムが記録されたプロセッサ読み取り可能な記録媒体を利用して具現できる。例えば、読み取り可能な記録媒体は、メモリ、フロッピー（登録商標）ディスク、ハードディスク、コンパクトディスク、光ディスク、又は磁気テープである。
【００８７】
以上、本発明の詳細な説明においては具体的な実施形態に関して説明したが、特許請求の範囲の記載及びこれと均等なものに基づいて定められる本発明の範囲及び精神を逸脱することなく、形式及び／又は細部の様々な変更が可能であることは、当該技術分野における通常の知識を持つ者には明らかであろう。
【符号の説明】
【００８８】
１００      端末
１０２、１０４、１０６      （時間の）区間
１１０      ディスプレイ部
１２０      ＢＭ（Ｂｌａｃｋ  Ｍａｔｒｉｘ）領域
１２１      物理キー
１２２ａ、１２２ｂ      タッチキー
１２３ａ，１２３ｂ，１２３ｃ，１２３ｄ，１２４      ダミーキー
１２９      チャンネルライン
１３１      ディスプレイ手段
１３２      伝送層
１３３、１３５      （層間を結合する）接合層
１３４      受信層
１３６      （端末のハウジングを形成する）ベゼル層
１２１０      有効性判定装置
１２１１      センサ部
１２１２      制御部
１２２０      入力部
１２２１、１２２２      タッチキー、ダミーキー
１２２３      物理キー
１２３０      ディスプレイ部
【図１】
2014132454.tif 000003
【図２】
2014132454.tif 000004
【図３】
2014132454.tif 000005
【図４】
2014132454.tif 000006
【図５】
2014132454.tif 000007
【図６】
2014132454.tif 000008
【図７】
2014132454.tif 000009
【図８】
2014132454.tif 000010
【図９】
2014132454.tif 000011
【図１０】
2014132454.tif 000012
【図１１】
2014132454.tif 000013
【図１２】
2014132454.tif 000014
【図１３】
2014132454.tif 000015
【図１４】
2014132454.tif 000016